(57)【要約】【課題】適宜な高さ位置で棚板に給電できる、使い勝手のよい可動棚装置として利用できる棚板給電装置を提供する。【解決手段】棚板給電装置５は、鉛直方向に配設された複数のフレーム材１０と、これらのフレーム材１０の延出方向の適宜位置に取り付けされる複数のダボ部材５０と、これらのダボ部材５０に載置される棚板６０とを備えている。フレーム材１０には、その延出方向に沿って溝２０が形成され、その溝２０の内面に導電バー２５、２６が配されている。【選択図】図１
2020156868.tif 000002
【特許請求の範囲】
【請求項１】
鉛直方向に配設された複数のフレーム材と、これらのフレーム材の延出方向の適宜位置に取り付けされる複数のダボ部材と、これらのダボ部材に載置される棚板とを備えた棚板給電装置であって、
前記フレーム材には、その延出方向に沿って溝が形成され、該溝の内面に導電バーが配されており、
前記ダボ部材には、前記溝に差し込まれることで前記導電バーに電気的に接続される受電部と、該受電部に電気的に接続される給電部とを備えており、
前記棚板の下面には、該棚板が前記ダボ部材に載置されたときに、前記給電部に電気的に接続される棚側受電部が形成されていることを特徴とする棚板給電装置。
【請求項２】
請求項１において、
前記導電バーは複数本で対をなすことを特徴とする棚板給電装置。
【請求項３】
請求項１または２において、
前記導電バーは、電圧の相異なる第１導電バーおよび第２導電バーを備えており、
前記ダボ部材の受電部は、前記第１導電バーおよび第２導電バーの一方に接続されることを特徴とする棚板給電装置。
【請求項４】
請求項１または２において、
前記導電バーは、電圧の相異なる第１導電バーおよび第２導電バーを備えており、
前記ダボ部材の受電部は、前記第１導電バーに接続される第１受電部と、前記第２導電バーに接続される第２受電部とを備えた一方、前記ダボ部材の給電部は、前記第１受電部に接続される第１給電部と、前記第２受電部に接続される第２給電部とを備えたことを特徴とする棚板給電装置。
【発明の詳細な説明】
【技術分野】
【０００１】
本発明は、棚板が給電される棚板給電装置に関する。
【背景技術】
【０００２】
近時、棚板の裏面に照明機器を取り付け、その照明機器に、棚板取り付け用のレールの溝内に配した導電バーを通じて電力を供給する棚板給電装置が知られている（例えば、特許文献１参照）。このレールは、壁面などに取り付ける２枚のパネルの間に配されるパネル取り付け用のものを給電フレームとして兼用した、導電バー付きのフレーム材である。その給電フレームの溝に棚板を嵌め入れることで、溝内に配した導電バーと、棚板の照明器具との電気的な接続が可能となる。
【先行技術文献】
【特許文献】
【０００３】
【特許文献１】特開２００４−８１５２１号公報
【発明の概要】
【発明が解決しようとする課題】
【０００４】
ところで、上記棚板給電装置において、棚板を所望の高さ位置に設置するためには、給電フレームも当然に、棚板の高さ位置に合わせて取り付ける必要がある。
【０００５】
しかしながら、給電フレームの高さ位置は壁面側に設置するパネルによって定まるものであるため、給電フレームを所望の高さ位置に設置したり、設置変更したりすることは容易ではない。したがって、この種の棚板給電装置の仕組みや構造を可動棚装置として採用することは、きわめて困難である。
【０００６】
本発明は、このような事情を考慮して提案されたもので、その目的は、適宜な高さ位置で棚板に給電できる、使い勝手のよい可動棚装置として利用できる棚板給電装置を提供することにある。
【課題を解決するための手段】
【０００７】
上記目的を達成するために、本発明の棚板給電装置は、鉛直方向に配設された複数のフレーム材と、これらのフレーム材の延出方向の適宜位置に取り付けされる複数のダボ部材と、これらのダボ部材に載置される棚板とを備えた棚板給電装置であって、フレーム材には、その延出方向に沿って溝が形成され、溝の内面に導電バーが配されており、ダボ部材には、溝に差し込まれることで導電バーに電気的に接続される受電部と、受電部に電気的に接続される給電部とを備えており、棚板の下面には、棚板が前記ダボ部材に載置されたときに、給電部に電気的に接続される棚側受電部が形成されていることを特徴とする。
【発明の効果】
【０００８】
本発明の棚板給電装置は上述した構成とされているため、適宜な高さ位置で棚板に給電できる、使い勝手のよい可動棚装置として利用することができる。
【図面の簡単な説明】
【０００９】
【図１】本発明の一実施形態に係る棚板給電装置の説明図である。（ａ）は棚板給電装置の全体斜視図、（ｂ）は（ａ）の棚板給電装置に用いられるフレーム材の一例を示す断面図、（ｃ）はフレーム材の他例を示す断面図、（ｄ）は連結部材の斜視図である。
【図２】（ａ）はカバーの部分正面図、（ｂ）は図１（ｂ）のフレーム材にカバーを取り付けた状態を示す断面図、（ｃ）は図１（ｃ）のフレーム材にカバーを取り付けた状態を示す断面図である。
【図３】（ａ）はダボ部材のフレーム材（給電フレーム）に対する装着態様を示す斜視図、（ｂ）はダボ部材の装着状態を示す横断面図、（ｃ）は装着されたダボ部材に対する棚板の設置態様を示す部分側面図である。
【図４】（ａ）は棚板の裏面図、（ｂ）は棚側受電部用のダボカバーの斜視図である。
【図５】（ａ）（ｂ）（ｃ）は、導電バー／ダボ部材／棚板の対応３例を示す模式図である。
【発明を実施するための形態】
【００１０】
以下に、本発明に係る実施の形態について、添付図面を参照しながら説明する。
まず、実施形態に係る棚板給電装置５の基本構成について記述する。
【００１１】
棚板給電装置５は、図１に示すように、鉛直方向に配設された複数のフレーム材１０と、これらのフレーム材１０の延出方向の適宜位置に取り付けされる複数のダボ部材５０（図３参照）と、これらのダボ部材５０に載置される棚板６０とを備えている。フレーム材１０には、その延出方向に沿って溝２０が形成され、その溝２０の内面に導電バー２５、２６が配されている。つまり、フレーム材１０は導電バー２５、２６が内装されることで給電フレーム１を構成している。
【００１２】
また、ダボ部材５０は、図３〜図５に示すように、溝２０に差し込まれることで導電バー２５、２６に電気的に接続される受電部５２、５３と、受電部５２、５３に電気的に接続される給電部５５、５６とを備えている。棚板６０の下面には、棚板６０がダボ部材５０に載置されたときに、給電部５５、５６に電気的に接続される棚側受電部６２、６３が形成されている。
【００１３】
ついで、棚板給電装置５の詳細について説明する。
【００１４】
図１（ａ）は棚板給電装置５の斜視図である。この棚板給電装置５は、鉛直方向に４本の給電フレーム１を用い、水平方向に８本の給電フレーム１を用いて立体的に構成されている。角部においては３本の給電フレーム１が連結部材３０によって相互に接続されている。また、図１（ａ）および図２（ａ）に示すように、給電フレーム１の溝２０にはカバー３５を取り付けて使用することが望ましい。このカバー３５は、受電プラグ付きコンセント４０（以下、コンセント４０という）の受電プラグ４５や、ダボ部材５０（図４参照）の受電プラグ５１などの受電用のプラグを溝２０内に装着するための差込口３５ａを有している。
【００１５】
この棚板給電装置５は棚板６０の設置位置を変動できる可動棚装置であり、鉛直方向に配した給電フレーム１に取り付けたダボ部材５０（図３参照）により棚板６０が支持される構成とされている。このダボ部材５０は、給電フレーム１の所望の高さ位置に取り付けることができる。この棚板６０はその裏面に、ＤＣ２４Ｖ用の照明機器６６が取り付けてあり、照明機器６６は給電フレーム１からダボ部材５０を介して電力の供給を受けて点灯する構成とされている。また、給電フレーム１に受電プラグ付きコンセント４０を取り付けて、他の電気機器に電力を供給することもできる。
【００１６】
以下では、まずフレーム材１０および給電フレーム１の構成について説明し、ダボ部材５０の構成および給電フレーム１に対するダボ部材５０の取り付け態様については、図３、図４の説明とともに後述する。
【００１７】
給電フレーム１の本体であるフレーム材１０は、図１（ｂ）（ｃ）に示すように角柱材とされる。そのフレーム材１０の四側面１１のすべてに、フレーム材１０の延出方向に沿った溝２０が形成されている。その溝２０は、２つの溝壁面２３と、溝底面２１とを有したＵ字溝２０とされる。図１（ｂ）（ｃ）に示した２例は、Ｕ字溝２０の内部に配した導電バー２５、２６の配設位置が異なっている。
【００１８】
図１（ｂ）（ｃ）の給電フレーム１のＵ字溝２０は、溝開口２２側に溝壁面２３の相互より突出したネック部２４ａを有し、そのネック部２４ａ間がコンセント４０の受電プラグ（不図示）やダボ部材５０の受電プラグ５１（図３参照）の装着用の装着口とされる。そのネック部２４ａの外側には、後述するカバー３５の取り付けのための段差部２４が形成されている。また、それぞれの溝壁面２３の溝底２１側には、相互より突出した凸条部２３ａが形成されている。また、溝底２１の中央には凹条２１ａが形成されている。
【００１９】
Ｕ字溝２０内には４本の導電バー２５、２６が配されている。これらの導電バー２５、２６には、相互に電圧の異なる、一対の第１導電バー２５と、一対の第２導電バー２６とが含まれる。導電バー２５、２６は複数本で対をなすものであることが望ましい。図例のように２線式でもよいし、３線式であってもよい。なお、本実施形態では、第１導電バー２５はＡＣ１００Ｖ電力用とされ、第２導電バー２６はＤＣ２４Ｖ電力用とされる。これらの導電バー２５、２６は、種類におうじたそれぞれの電源に接続することで通電が可能とされている。
【００２０】
図１（ｂ）の例では、一対の第１導電バー２５は、凸条部２３ａよりも溝底２１側の溝壁面２３に、溝壁面２３間で空間をはさんで向かい合うように溝幅方向に並べられ、それぞれは絶縁部２５ａを介して配設されている。この絶縁部２５ａは、その前面に第１導電バー２５が嵌着され、溝壁面２３に埋め込むように固着されて、取り付けられている。
【００２１】
また、一対の第２導電バー２６は、一方の溝壁面２３に、第１導電バー２５よりも溝開口２２側に、Ｕ字溝２０の溝深さ方向に沿って並べられている。絶縁部２６ａは、その前面に一対の第２導電バー２６が並ぶように嵌着されており、溝壁面２３側に埋め込むように固着されている。
【００２２】
図１（ｃ）の例では、一対の第１導電バー２５は、図１（ｂ）の例と同様であり、凸条部２３ａよりも溝底２１側の溝壁面２３に、溝壁面２３間で空間をはさんで向かい合うように溝幅方向に並べられ、それぞれは絶縁部２５ａを介して配設されている。この絶縁部２５ａは、その前面に第１導電バー２５が嵌着され、溝壁面２３に埋め込むように固着されて、取り付けられている。
【００２３】
また、一対の第２導電バー２６は、一対の第１導電バー２５のそれぞれの凸条部２３ａを介して隣接する溝開口２２側の溝壁面２３に、溝壁面２３間で空間をはさんで向かい合うように溝幅方向に並べられている。また、第２導電バー２６は、第１導電バー２５と共通の絶縁部２５ａを介して配設されている。
【００２４】
つまり、図１（ｃ）のものでは、一方の第１導電バー２５と一方の第２導電バー２６とが一方の溝壁面２３に溝深さ方向に沿って並び、他方の第１導電バー２５と他方の第２導電バー２６とが他方の溝壁面２３に溝深さ方向に沿って並んでいる。
【００２５】
図１（ｂ）（ｃ）の例のように、複数本の導電バー２５、２６が配設される場合には、Ｕ字溝２０の溝内面のうち複数の面に分離状態に配設されることが望ましい。図１（ｂ）の例では、４本の導電バー２５、２６のうち、一方の溝壁面２３には１本の第１導電バー２５が、他方の溝壁面２３には３本の導電バー２５、２６が分離状態に配されている。また図１（ｃ）の例では、溝壁面２３に導電バー２５、２６が２本ずつ分離状態に配されている。なお、１種類の一対の導電バー２５を設ける場合においても、それぞれを相異なる溝壁面２３に設けることが望ましい。
【００２６】
このように導電バー２５、２６を溝２０の複数の面に設ければ、１つの溝壁面２３に４つの導電バー２５、２６を設けるために深い溝２０を形成したり、溝底面２１に４つの導電バー２５、２６を設けるために広い溝幅の溝２０を形成したりしなくてもよい。つまり、角柱状のフレーム材１０に溝２０をバランスよく形成することが望ましい。ようするに、深すぎる溝２０や溝幅が広すぎる溝２０の場合、大きなフレーム材１０を用いなければならないが、複数の導電バー２５、２６を複数の溝内面に分離して設けることで、給電フレーム１の大型化を防止することができる。
【００２７】
また、以上に説明したように、本給電フレーム１はフレーム材１０の複数の側面１１にＵ字溝２０が設けてあるため、給電の取り出し方向を複数にでき、使い勝手がよくなる。特に、Ｕ字溝２０が四側面１１のそれぞれに設けてあれば、給電フレーム１を棚板給電装置５専用の給電手段としてのみ用いるのではなく、装置の近傍に配置する電気機器の給電手段としても利用することができる。
【００２８】
また、フレーム材１０に対する２以上のＵ字溝２０の配置方法としては、２つの場合、相隣接する２側面１１あるいは対面同士の２側面１１にＵ字溝２０を配置すればよい。３つの場合、任意の３側面１１にＵ字溝２０を配置すればよい。
【００２９】
棚板給電装置５は、図１（ｂ）（ｃ）の２種の給電フレーム１のうちのいずれか一方のものを用いて形成されればよい。なお、Ｕ字溝２０の数が相異なる給電フレーム１を組み合わせてもよい。つまり、導電バー２５、２６の配設位置が一致する同種の給電フレーム１を用いることが望ましいが、Ｕ字溝２０の形成数が相異なるフレーム材１０（給電フレーム１）を組み合わせて用いてもよい。
【００３０】
ついで連結部材３０について説明する。連結部材３０は、棚板給電装置５の外側を向く３方面は閉塞されている一方、内側の３方面は、図１（ｄ）に示すように、給電フレーム１が接続可能な接続部３１が設けられている。なお、図１（ｄ）に示した連結部材３０は、図１（ｂ）、図２（ｂ）に示した給電フレーム１に対応したものである。
【００３１】
接続部３１には、給電フレーム１の４つのＵ字溝２０に対応した４つの端子部３２を備えている。端子部３２は、Ｕ字溝２０の長手方向の端部に挿着可能な形状とされる。その端子部３２は、Ｕ字溝２０に設けた一対の第１導電バー２５に合致する位置に一対の第１接続端子３２ａを備え、Ｕ字溝２０に設けた一対の第２導電バー２６に合致する位置に一対の第２接続端子３２ｂを備えている。こうして、３本の給電フレーム１は連結部材３０を通じて電気的に接続される。つまり、この連結部材３０は、３本の給電フレーム１の電気的な集結点とされる。
【００３２】
このように、複数の給電フレーム１を、連結部材３０を用いて接続することで、各給電フレーム１に通電可能な立体形状の棚板給電装置５を形成することができる。なお、図１（ｃ）の給電フレーム１を連結する連結部材の接続部の接続端子は、図１（ｃ）の給電フレーム１の導電バー２５、２６の配置に対応した配置とする必要があることはいうまでもない。
【００３３】
また、給電フレーム１を接続する連結部材としては、上記のもののように角部で接続するものには限らず、例えば直線的に並べた給電フレーム１を接続するものや、平面的に３方向や６方向に配された給電フレーム１を接続するものであってもよい。
【００３４】
また、給電フレーム１のＵ字溝２０の段差部２４には、図２（ａ）に示すようなカバー３５が取り付けられる。このカバー３５には、長手方向に沿って一定の間隔に、ダボ部材５０の受電プラグ５１やコンセント４０の受電プラグ（不図示）を差し込むための差込口３５ａが設けてある。
【００３５】
図２（ｂ）（ｃ）は、図１（ｂ）（ｃ）に対応した図であり、それぞれのＵ字溝２０の段差部２４にはカバー３５が装着されている。カバー３５の差込口３５ａはＵ字溝２０の内部に通じている。受電プラグは差込口３５ａの開口縁に挟着されるようにカバー３５に支持される。
【００３６】
すなわち、鉛直方向の給電フレーム１にダボ部材５０の受電プラグ５１を取り付ける場合には、図２（ａ）に示したカバー３５が、コンセント４０やダボ部材５０を支持する手段として必要とされる。図２（ａ）に示したカバー３５に代えて、使用しないＵ字溝２０の蓋として、差込口３５ａの形成されていない閉塞カバーを用いてもよい。
【００３７】
このように、給電フレーム１は溝開口２２にカバー３５を装着する構成であるため、溝内面の露出を少なくし、ほこりなどの異物の導電バー２５、２６への付着を少なくすることができる。もちろん、手指をＵ字溝２０に誤って入れる危険性も低減化できる。また、Ｕ字溝２０の溝開口２２には段差部２４が設けてあるため、カバー３５をずれなく取り付けることができる。さらに、差込口３５ａを設けたカバー３５を用いることで、コンセント４０（受電プラグ４５）やダボ部材５０（受電プラグ５１）の差し込み位置を確定でき、またそれらを保持することもできる。
【００３８】
つぎに、給電フレーム１のＵ字溝２０に対し装着可能なダボ部材５０について、図３および図４を参照して説明する。なお図３には、図１（ｂ）、図２（ｂ）に示した給電フレーム１に対応したものを図示した。このダボ部材５０は、給電フレーム１の第１導電バー２５からはＡＣ１００Ｖの電力を受けることができ、第２導電バー２６からはＤＣ２４Ｖの電力を受けることができる。
【００３９】
このダボ部材５０は、４つの鉛直方向の給電フレーム１の同高さ位置に取り付けた４本のダボ部材５０が協働して棚板６０を下方より支持するための部材とされる。ダボ部材５０は、棚板６０を載せ置くために、鉛直方向の給電フレーム１のＵ字溝２０に装着する接続部５１と、棚板６０を支持する支持部５５とを備えている。接続部５１は受電部５１（受電プラグ５１）を構成し、支持部５５は棚板６０に給電するための給電部５５（給電プラグ５５）を構成する。
【００４０】
接続部５１は、給電フレーム１のＵ字溝２０に装着でき、かつカバー３５の差込口３５ａに嵌合できるような角柱形状とされる。一方、支持部５５は、棚板６０の裏面に設けたダボ受け部６１に係合可能な円柱形状とされる。また、接続部５１の先端面には突起５１ａが形成されており、この突起５１ａはＵ字溝２０の溝底２１にある凹条２１ａに嵌合する。
【００４１】
受電部５１には、先端部の側面に一対の端子５２ａよりなる第１受電部５２が設けてある。この第１受電部５２は、給電フレーム１のＵ字溝２０内の第１導電バー２５に対応している。また、第１受電部５２の一方の端子５２ａを設けた側には、その端子５２ａよりも基部側に、一対の端子５３ａを有した第２受電部５３が第２導電バー２６に対応するように設けてある。
【００４２】
また、給電部５５には、円柱体に凹リング状の４つの端子５６ａ、５７ａ並べてあり、両端の一対の端子５６ａが第１給電部５６とされ、中央の一対の端子が第２給電部５７とされる。
【００４３】
ダボ部材５０は、図３（ｂ）に示すように、接続部５１（受電プラグ５１）をＵ字溝２０に装着し、第１受電部５２を第１導電バー２５に接続することで、また第１受電部５３を第２導電バー２６に接続することで、それぞれで受電することができる。
【００４４】
そして、図３（ｃ）に示すように、ダボ部材５０の支持部５５（給電プラグ５５）を棚板６０のダボ受け部６１に装着することで、棚板６０は支持部５５に支持される。そうすることで棚板６０は、ダボ受け部６１の底面６１ａに設けた一対の棚側受電部６３を介して受電することができる。この一対の棚側受電部６３はＤＣ２４Ｖ用とされる。すなわち、照明機器６６は、ＤＣ２４Ｖ用であるから、給電フレーム１の第２導電バー２６、ダボ部材５０の第２受電部５３、第２給電部５７、棚側受電部６３を介して給電される。なお、棚側受電部６３の両側にＡＣ１００Ｖ用の棚側受電部６２（図５参照）を設けてもよい。これについては、図５の説明とともに後述する。
【００４５】
図４（ａ）は棚板６０の裏面図である。棚板６０に２つの照明機器６６を取り付けたものでは、それらに対応して棚板６０は、棚側受電部６３を有した２つのダボ受け部６１と、棚側受電部６３を有しない２つのダボ受け部６１とを備えている。棚板６０がダボ部材５０により支持されれば、いずれのダボ受け部６１においてもダボ部材５０の給電部５５が裏面側に露出するため、安全対策として、給電部５５を覆うダボカバー６７を取り付けることが望ましい。
【００４６】
このダボカバー６７は、棚板６０の裏面側に露出する露出部６７ａと、ダボ受け部６１に差し込まれる一対の脚部６７ｂとを備えている。脚部６７ｂがダボ受け部６１の底面に当接した状態で、露出部６１ａが棚板６０の裏面と略面一になるものが望ましい。
【００４７】
また、他の実施形態としては、図５の３例が挙げられる。図５（ａ）〜（ｃ）は、３例を簡略的に図示した説明図である。図５（ａ）のダボ部材５０は、図３のものと同様とされ、第１導電バー２５に対応した第１受電部５２、第１給電部５６を有し、第２導電バー２６に対応した第２受電部５３、第２給電部５７を有している。一方、棚板６０も、第１の棚側受電部６２と第２の棚側受電部６３を備えている。
【００４８】
また、図５（ｂ）のものは、第１導電バー２５に対応した第１受電部５２、第１給電部５５のみを備え、棚板６０も、それに対応した第１の棚側受電部６２のみを備えている。図５（ｃ）のものは、ダボ部材５０は、第２導電バー２６に対応した第２給電部５３、第２給電部５７のみを備え、棚板６０も、それに対応した第２の棚側受電部６３のみを備えている。
【００４９】
ダボ部材５０の給電部５５の配置としては、電圧の高い第１給電部５６（ＡＣ１００Ｖ）は、図３や図５（ａ）、（ｂ）のように端子が離間した配置とされ、第２給電部５７（ＤＣ２４Ｖ）は、図５（ａ）（ｃ）のように端子が近接した配置とされる。また、第２給電部５７（ＤＣ２４Ｖ）のみのものは、図５（ｃ）のように、ＡＣ１００Ｖ用の端子を有しているかどうかを見分けやすくするために、ダボ部材５０の支持部５５および棚板６０のダボ受け部６１を短くしたものとしてもよい。
【００５０】
ようするに、ダボ部材５０の受電部５１は、第１導電バー２５および第２導電バー２６の両方に接続されるもの（図３、図５（ａ））でもよいし、いずれか一方に接続されるもの（図５（ｂ）（ｃ））であってもよい。
【００５１】
つまり、図３、図５（ａ）に示したダボ部材５０については、受電部５１は、第１導電バー２５に接続される第１受電部５２と、第２導電バー２６に接続される第２受電部５３とを備えている。一方、給電部５５は、第１受電部５１に接続される第１給電部５６と、第２受電部５３に接続される第２給電部５７とを備えている。また、図５（ｂ）（ｃ）に示したダボ部材５０については、受電部５５は、第１導電バー２５および第２導電バー２６の一方に接続される。
【００５２】
以上に示した棚板給電装置５によれば、ダボ部材５０を適宜な高さ位置に保持することができ、いずれの位置においても、ダボ部材５０が支持する棚板６０に給電することができ、使い勝手のよい可動棚装置として利用することができる。
【００５３】
以上では、２種の導電バー２５、２６を配した給電フレーム１について説明したが、１種のみの導電バー２５、２６を配した給電フレーム１であってもよい。その場合、ダボ部材５０もそれに対応した構成であればよい。また、２種の導電バー２５、２６に対応する実施形態として、ＡＣ１００Ｖと、通信（弱電）との組み合わせであってもよいし、ＤＣ２４Ｖと、通信（弱電）との組み合わせであってもよい。
【００５４】
図１（ａ）に示した棚板給電装置５において、水平方向の給電フレーム１の上方や側方に開口した溝２０にコンセント４０を取り付ける場合には、垂直方向の給電フレーム１と同様、カバー３５の差込口３５ａでコンセント４０を支持することができる。
【００５５】
また、ダボ部材５０については、例えばＵ字溝２０の凹条２１ａに代えてダボ部材５０の先端の突起５１ａが隙間なく嵌合する、カバー３５の差込口３５ａの位置に合致した穴部を設けてもよい。そのようにすれば、差込口３５ａと穴部とにより２箇所でダボ部材５０が支持、固定されるため、電気機器などを載せ置いた棚板６０をぐらつきなく支持することができる。
【符号の説明】
【００５６】
５            棚板給電装置
１０          フレーム材
２０          溝（Ｕ字溝）
２５          （一対の）第１導電バー（導電バー）
２６          （一対の）第２導電バー（導電バー）
５０          ダボ部材
５１          接続部（受電部、受電プラグ）
５２          第１受電部
５３          第２受電部
５５          支持部（給電部、給電プラグ）
５６          第１給電部
５７          第２給電部
６０          棚板
６２、６３    棚側受電部
【図１】
2020156868.tif 000003
【図２】
2020156868.tif 000004
【図３】
2020156868.tif 000005
【図４】
2020156868.tif 000006
【図５】
2020156868.tif 000007